(57)【要約】【課題】圧縮空気乾燥装置に備えた乾燥容器内の乾燥剤を容易に取替えることを可能にする圧縮空気乾燥装置に於ける乾燥容器の取外し機構の技術を提供する。【解決手段】圧縮空気乾燥装置１Ａの乾燥容器６に形成した下方突出部６ｉの１つないし複数個に前述したクリップ１２を装着するためのクリップ挿入用孔６ｒを垂直方向に形成する。該クリップ挿入用孔６ｒは下方突出部６ｉの上面から下面まで貫通形成すると共に該クリップ１２をクリップ挿入用孔６ｒに装着した際前記パージタンク７の係止突起７ａが該クリップ１２の側面に衝当するように形成する。【選択図】図１
2010029789.tif 000002
【特許請求の範囲】
【請求項１】
支持基盤と、該支持基盤に固定されかつ下方突起部を所定数個形成すると共に該下方突起部の外周面に周設したパージタンク係止凹陥を備え、かつ内部に乾燥剤を充填した乾燥容器と、該乾燥容器のパージタンク係止凹陥に係合する係止突起を所定数個を形成したパージタンクとでなる構成に於いて前記下方突起部の垂直方向にクリップ挿入用孔を貫通してクリップを装着したことを特徴とする圧縮空気乾燥装置に於ける乾燥容器の取外し機構。
【請求項２】
前記クリップが薄板状の略Ｖ字形状であって、一方、他方の脚部で構成されかつ一方、他方の脚部の下端を外方に突出形成したことを特徴とする請求項１記載の圧縮空気乾燥装置に於ける乾燥容器の取外し機構。
【発明の詳細な説明】
【技術分野】
【０００１】
本発明は、圧縮空気乾燥装置を車両の例えば狭隘な取付け場所に取付た場合に於いて、該圧縮空気乾燥装置に備えた乾燥容器内の乾燥剤を容易に取替えることを可能にする圧縮空気乾燥装置に於ける乾燥容器の取外し機構に関する。
【背景技術】
【０００２】
従来、この種の圧縮空気乾燥装置に於ける乾燥容器の取外し機構の技術の一例としては図４に示すＷＯ２００７／０６０８８２  Ａ１に係る国際公開公報に開示されている。これについて説明すれば、図４は圧縮空気乾燥装置１を示している。圧縮空気乾燥装置１は、例えば大概してコンプレッサの吐出側が接続する入口（図示せず）とメインタンク（図示せず）に接続する出口２と、ガバナー（図示せず）と、ドレンバルブ装置３とを有した例えばアルミニウムやその合金の金属成形品等でなる支持基盤４と、この支持基盤４の例えば上部に、乾燥剤５を充填した乾燥容器６と、この乾燥容器６と、前記アウトレットポート２との間に配置したパージタンク（外側カバー）７とを設けた構成である。該乾燥容器６はその上端周縁に突出部６ｃを張出し形成している。該突出部６ｃは所定数個例えば８個周設している。そして該突出部６ｃの上面に蓋部材６ｅを取付けボルト６ｆで固定している。また、該乾燥容器６はその下方に所定数個のパージタンク係止凹陥６ｄを例えば８個を所定間隔を有して周設している。該パージタンク係止凹陥６ｄはパージタンク７の下方に所定数例えば８個を所定間隔を有して形成した係止突起７ａを係合し該パージタンク７を係止している。
【０００３】
この圧縮空気乾燥装置１は、コンプレッサから吐出する圧縮空気がインレットポートから流入すると、乾燥容器６を介してパージタンク７からアウトレットポート２へ流れるとき、乾燥容器６の乾燥剤５が圧縮空気内の湿気を吸収する。このとき圧縮空気乾燥装置１はロード運転である。そして圧縮空気乾燥装置１のガバナーは支持基盤４に装着されている。アウトレットポート２に流送する圧縮空気の空気圧がドレンバルブ装置３のドレン弁３ａを開弁させる。ドレン弁３ａが開弁するとコンプレッサの吐出側を大気に接続するアンロード運転にすると共に乾燥容器６内の圧縮空気を急速に排出し、その後、パージタンク７の圧縮空気により乾燥剤５を再乾燥する。このように、ガバナーの作動から復帰までの間に、圧縮空気乾燥装置１の乾燥動作とアンロード動作を継続する。
【０００４】
また、圧縮空気乾燥装置１は、例えば支持基盤４が下方に位置させて車両等の車体に取り付けられる。そしてこのインレットポートから供給されるコンプレッサの吐出圧縮空気は、フィルター８を経て孔８ａから乾燥容器６内に流入する。このフィルター８により圧縮オイルやダストが除去され乾燥剤５で除湿される。除湿されかつ乾燥した圧縮空気は乾燥容器６の逆止弁６ａを開放し通路６ｂから支持基盤４の部屋４ａに貯留され、残部は支持基盤４に備えた逆止弁９からアウトレットポート２を通してメインタンクに貯留する。
図中３ｂはドレンバルブ装置３のドレン弁３ａの開閉を司るピストンである。
【０００５】
また、ドレン弁３ａは乾燥剤５を乾燥処理する時には閉じているが、メインタンク内の圧力が所定値に達するとガバナーからの指令信号によってピストン３ｂを下げドレン弁３ａを開く。水分やオイルを含むドレンはドレン弁３ａの開閉に応じて、圧縮空気と一緒に勢いよく外部へ放出される。そのため放出に伴う騒音を低減するため、ドレン弁３ａの排出口にはサイレンサ１０が設けられている。
【０００６】
ところで、前記乾燥容器６の最下端部位には支持基盤結合用突起６ｇを例えば４個を外方に突設しかつ周設してある。一方、前記支持基盤４の上端部位には外側リング部４Ａを備え、この外側リング部４Ａの内側に前記乾燥容器６を固定するに際して該支持基盤結合用突起６ｇを上方への移動を停止させるブラケット４ｂを周設しておりこのブラケット４ｂの一部に例えば４個の切欠孔４ｃを周設・形成している。この切欠孔４ｃは前記乾燥容器６を押込んだときその支持基盤結合用突起６ｇを挿通し、該乾燥容器６を回動させることにより該支持基盤結合用突起６ｇがブラケット４ｂに衝当し該乾燥容器６が上方に離脱することなく、該外側リング部４Ａの内側に形成された凹部４ｄに係合したままとなる。このことにより前記乾燥容器６は支持基盤４に固定される。
尚、図中４Ｂは支持基盤４の内側リングであり前記乾燥容器６の底部６ｈを載置・固定する。１１はパージタンク７の下端を前記支持基盤４の外側リング部４Ａに固定する取付ボルトである。
【特許文献１】ＷＯ２００７／０６０８８２  Ａ１に係る国際公開特許公報
【発明の開示】
【発明が解決しようとする課題】
【０００７】
従来の技術に於ける前述した圧縮空気乾燥装置に於ける乾燥容器の取外し機構は上述した構成、作用であるので次の問題点が存在した。すなわち、前記乾燥容器６内に充填した乾燥剤５を取替えるときはパージタンク７及び乾燥容器６を支持基盤４から取外す必要がある。一般的に当該圧縮空気乾燥装置１は車両等各種の機器に取付けて使用されるが、例えば車両に搭載したとき、その設置部位が比較的狭隘で例えばパージタンク７の上方に於ける一点鎖線で示すスペース限界高さＨが狭く、支持基盤４から取外す手順として該パージタンク７、次に乾燥容器６を取外すことが困難であるという問題点があった。また、支持基盤４から乾燥容器６を取外すためにはパージタンク７及び乾燥容器６を順次取外すこととなり取外すための作業工数が増大するという問題点があった。さらに、パージタンク７及び乾燥容器６を共回りさせることができず簡易かつ迅速に取外しができないという問題点があった。
【課題を解決するための手段】
【０００８】
本発明に係る圧縮空気乾燥装置に於ける乾燥容器の取外し機構は叙上の問題点を解決すべく発明したものであり、圧縮空気乾燥装置を狭隘な取付け場所に取付けた場合に於いて、
該圧縮空気乾燥装置に備えた乾燥容器内の乾燥剤を容易に取替えることを目的としたものであって、次の構成、手段から成立する。
【０００９】
すなわち、請求項１記載の発明によれば、支持基盤と、該支持基盤に固定されかつ下方突起部を所定数個形成すると共に該下方突起部の外周面に周設したパージタンク係止凹陥を備え、かつ内部に乾燥剤を充填した乾燥容器と、該乾燥容器のパージタンク係止凹陥に係合する係止突起を所定数個を形成したパージタンクとでなる構成に於いて前記下方突起部の垂直方向にクリップ挿入用孔を貫通してクリップを装着したことを特徴とする。
【００１０】
請求項２記載の発明によれば、請求項１記載の発明に於いて、前記クリップが薄板状の略Ｖ字形状であって、一方、他方の脚部で構成されかつ一方、他方の脚部の下端を外方に突出形成したことを特徴とする。
【発明の効果】
【００１１】
本発明に係る圧縮空気乾燥装置に於ける乾燥容器の取外し機構は上述した構成を有するので次の効果がある。
【００１２】
すなわち、請求項１に記載した本発明によれば、支持基盤と、該支持基盤に固定されかつ下方突起部を所定数個形成すると共に該下方突起部の外周面に周設したパージタンク係止凹陥を備え、かつ内部に乾燥剤を充填した乾燥容器と、該乾燥容器のパージタンク係止凹陥に係合する係止突起を所定数個を形成したパージタンクとでなる構成に於いて前記下方突起部の垂直方向にクリップ挿入用孔を貫通してクリップを装着したことを特徴とする圧縮空気乾燥装置に於ける乾燥容器の取外し機構を提供する。
このような構成としたので、当該圧縮空気乾燥装置を例えば車両に搭載したとき、その設置部位が比較的狭隘で例えばパージタンクの上方に於ける空間が狭くても、乾燥容器とパージタンクを共回りさせることができるので乾燥容器とパージタンクを一括して迅速に支持基盤からとりはずることができるという効果があり、支持基盤から乾燥容器を取外すための作業工数を削減することができるという効果がある。
【００１３】
請求項２に記載した本発明によれば、前記クリップが薄板状の略Ｖ字形状であって、一方、他方の脚部で構成されかつ一方、他方の脚部の下端を外方に突出形成したことを特徴とする請求項１記載の圧縮空気乾燥装置に於ける乾燥容器の取外し機構を提供する。
このような構成としたので、請求項１記載の発明の効果に加えて、クリップにより乾燥容器をパージタンクと共回りさせて支持基盤から容易に外すことが可能となり併せて、該クリップがクリップ挿入用孔から離脱しないという効果がある。
【発明を実施するための最良の形態】
【００１４】
以下、本発明に係る圧縮空気乾燥装置に於ける乾燥容器の取外し機構に於ける実施の形態について添付図面に基づき詳細に説明する。
図１は本発明に係る圧縮空気乾燥装置に於ける乾燥容器の取外し機構の実施の形態の一例を示す垂直断面図である。図２は図１に示す当該圧縮空気乾燥装置に於ける乾燥容器の取外し機構の要部を拡大した斜視図である。図３は本発明に係る圧縮空気乾燥装置に於ける乾燥容器の取外し機構を構成するクリップを示す図面であって、（ａ）は正面図、（ｂ）は右側面図である。
【００１５】
圧縮空気乾燥装置１Ａの底部には肉厚な支持基盤４がある。支持基盤４は、アルミニウムあるいはその合金などからなる金属成型品である。支持基盤４の一方の側面には空気圧縮機（図示せず）の吐出口に連通される入口（図示せず）があり、他方の側面にはメインタンク（図示せず）に連通される出口２を設けている。これら出口２および入口は、配管接続口となり、例えばねじ孔から構成される。
【００１６】
空気圧縮機（図示せず）の吐出口に連通される入口は、径方向に伸びる入口孔から中央の縦孔４ｅを通し支持基盤４の上面に連通している。また、出口２は、バルブ収容孔９ａを通して支持基盤４の上面に連通している。出口２側のバルブ収容孔９ａには、支持基盤４の上面から出口２に向かう位置に逆止弁９が入っている。
【００１７】
支持基盤４は、下面側にハブ状の突起部４ｆを一体に備えているのに対し、上面側には、内側リング部４Ｂおよび外側リング部４Ａを同心状に備えている。外側リング部４Ａは、内側リング部４Ｂに比べて背が高くしかも肉厚状に構成している。内側リング部４Ｂと外側リング部４Ａとの間にわたって支持基盤４の上面は大きくえぐられ、そこにリング状空間、つまり部屋４ａが形成されている。この部屋４ａは、乾燥処理を終えた圧縮空気を貯える空間として利用される。したがって、逆止弁９を収容したバルブ収容孔９ａは、部屋４ａに開口する。
【００１８】
圧縮空気乾燥装置１Ａは、上述の支持基盤４のほか、支持基盤４の上に位置する乾燥容器６および外側カバーとしてのパージタンク７を備える。乾燥容器６は、内部に粒状の乾燥剤５を収容した容器である。また、パージタンク７は、乾燥容器６の外周を取り囲み、その乾燥容器６との間に圧縮空気を貯える第１の部屋７ｂを区画するカバーである。パージタンク７と乾燥容器６は互いに嵌り合う。嵌り合う部分には、密閉するためのシールリング７ｃを設けている。
【００１９】
そして、該乾燥容器６はその上端周縁に突出部６ｃを張出し形成している。該突出部６ｃは所定数個例えば８個周設している。そして該突出部６ｃの上面に蓋部材６ｅを取付けボルト６ｆで固定している。また、該乾燥容器６はその垂直方向の下方又は中間位置に形成した大径な下方突出部６ｉの外周面状に所定数例えば４個のパージタンク係止凹陥６ｄを周設している。該パージタンク係止凹陥６ｄはパージタンク７の下方に所定数、例えば４個をプレス加工等で形成した係止突起７ａを係合し該パージタンク７を係止している。
【００２０】
乾燥容器６の大径な下方突出部６ｉは、下面にリング状内部空間６ｊを備える。リング状内部空間６ｊは、支持基盤４側のリング状空間、つまり部屋４ａと一緒になって、乾燥処理を終えた圧縮空気を貯える第２の部屋６ｋを区画する。圧縮空気を貯える第２の部屋６ｋと圧縮空気を貯える第１の部屋７ｂとは、複数の連通孔（図示せず）を通して互いに連通する。
【００２１】
大径な下方突出部６ｉのリング状内部空間６ｊは、幅が広い部分と幅が狭い部分とが連続した形態である。それに応じ、乾燥容器６の容器内部には、底部に小容積の収容部分があり、その上に大容積の収容部分がある。底部の小容積の収容部分にはフィルタエレメント８が充填され、その上の大容積の収容部分に再生可能な粒状の乾燥剤５が充填されている。容器内部の乾燥剤５およびフィルタエレメント８は、複数の取付けボルト６ｆをゆるめて乾燥容器６の上部の蓋部材６ｅを取り外すことによって交換可能である。蓋部材６ｅには、逆止弁６ａが閉じる比較的に大きな通路６ｂがある。また、蓋部材６ｅの下には、粒状の乾燥剤５を適度に充填するためのコイルバネ６ｍを巻装してある。
【００２２】
そこで、乾燥処理すべき圧縮空気は、入口から入りまずフィルタエレメント８によってコンプレッサオイルやダストが除去され、ついで乾燥剤５の中を通過することにより除湿される。除湿され乾燥した圧縮空気は、逆止弁６ａを開いて通路６ｂからパージタンク７の圧縮空気を貯える第１の部屋７ｂ、およびそれに連通する圧縮空気を貯える第２の部屋６ｋに流入する。流入した圧縮空気は、一部が再生用として圧縮空気を貯える第１の部屋７ｂおよび圧縮空気を貯える第２の部屋６ｋ内に貯えられ、残りは支持基盤４内の逆止弁９から出口２を通して外部のメインタンク内に貯えられる。メインタンク内の圧縮空気は、たとえばエアブレーキ系統の各機器の作動に利用される。
【００２３】
支持基盤４の中央の縦孔４ｅの中に、ドレンバルブ装置３が設置されている。ドレンバルブ装置３は、ドレンを排出するためのドレン弁３ａ及びピストン３ｂを有している。そして該ドレン弁３ａは乾燥剤５の再生サイクル時における外気への開放弁を兼ねている。ドレン弁３ａは、乾燥剤５を乾燥処理する時には閉じているが、メインタンク内の圧力が所定値に達すると、プレッシャガバナ（図示せず）からの指令信号によってピストン３ｂを下げ弁を開く。水分やオイルを含むドレンは、ドレン弁３ａの開閉に応じて、圧縮空気と一緒に勢いよく外部へ放出される。そのため、放出に伴う騒音を低減するため、ドレン弁３ａの排出口にはサイレンサ１０が設けられる。
【００２４】
圧縮空気乾燥装置１Ａでは乾燥容器６とパージタンク７とを取付け及び取外し可能に取付けると共に、乾燥容器６とパージタンク７とを取付けボルト１１により支持基盤４に取付け及び取外し可能に取付けるように構成する。
【００２５】
次に乾燥容器６内に充填された乾燥剤５が経年変化等により使用不能となった場合、前記パージタンク７及び乾燥容器６を支持基盤４から取外す必要がある。かかる場合パージタンク７及び乾燥容器６を共回りさせて支持基盤４から取外すことができれば作業工数を大幅に削減できる等便利である。そこで該乾燥容器６の取外し機構としてのクリップ１２等について説明する。
【００２６】
当該クリップ１２は図３（ａ）、（ｂ）に示すように正面形状が略Ｖ字形バネ板であって、その板厚が約１（ｍｍ）程度の薄板状で構成され、金属材料又は樹脂材料等で成形される。該クリップ１２は円弧状頂点部１２ａと、この円弧状頂点部１２ａから左・右に延出形成した脚部１２ｂ、１２ｂとを備えている。該脚部１２ｂ、１２ｂはいずれもその一方、他方の下端１２ｃ、１２ｃは外方に突出形成している。すなわち、適宜傾斜を有して張出し形成している。また該円弧状頂点部１２ａと一方、他方の下端１２ｃ、１２ｃとの間の中間位置に略山形状突起１２ｄ、１２ｄを形成している。そして該クリップ１２は弾性機能を備え、前記一方、他方の下端１２ｃ、１２ｃを対向しかつ接近させるように圧縮し、また互いに離反するように拡開する。
【００２７】
該クリップ１２は側面形状が図３（ｂ）に示すように例えば略矩形状に形成されている。その設定寸法としては例えば縦長が脚部１２ｂの長さであって、約３０（ｍｍ）、幅長が約１０（ｍｍ）程度が好適である。
【００２８】
ここに於いて、図２に基づき前記クリップ１２が前記乾燥容器６に装着された状態を説明する。該乾燥容器６は垂直方向の下方又は中間位置に大径な下方突出部６ｉを所定数個例えば４個を周設・形成している。該下方突出部６ｉはその外周面に所定数個、例えば４個のパージタンク係止凹陥６ｄを周設している。このため、該パージタンク係止凹陥６ｄはそのため上縁６ｎと下縁６ｐとその中間に位置する溝６ｑとで構成される。
【００２９】
前記乾燥容器６に形成した下方突出部６ｉの１つないし複数個に前述したクリップ１２を装着するためのクリップ挿入用孔６ｒを垂直方向に形成する。該クリップ挿入用孔６ｒは下方突出部６ｉの上面から下面まで貫通形成すると共に該クリップ１２をクリップ挿入用孔６ｒに装着した際前記パージタンク７の係止突起７ａが該クリップ１２の側面に衝当するように形成する。そして、作業者が図３（ａ）に示すクリップ１２の一方、他方の下端１２ｃ、１２ｃを手で互いを閉止するように圧接しその円弧状頂点部１２ａを前記クリップ挿入用孔６ｒの下方から上方に向って押込んで該クリップ挿入用孔６ｒに装着する。挿入された該クリップ１２はその性質上円弧状頂点部１２ａを基点として一方、他方脚部１２ｂ、１２ｂが弾発し又は復元作用を呈し、該クリップ１２の一方、他方脚部１２ｂ、１２ｂはクリップ挿入用孔６ｒに挿入することによりクリップ挿入用孔６ｒの両側面に圧着し、該クリップ挿入用孔６ｒから脱落することがない。特に該クリップ１２の一方、他方の下端１２ｃ、１２ｃは適宜斜面を形成し外方に張出しているので該クリップ１２がクリップ挿入用孔６ｒの上面から抜出すことがなくクリップ挿入用孔６ｒ内に安定して保持される。
【００３０】
次に本発明に係る圧縮空気乾燥装置についてその組立手順やパージタンク７及び乾燥容器６の取外し機構の動作等を説明する。
前記乾燥容器６を支持基盤４に取付けるときは、該乾燥容器６の支持基盤結合用突起６ｇを支持基盤４の切欠孔４ｃに挿通し該乾燥容器６を回動する。該支持基盤結合用突起６ｇはブラケット４ｂの下面に入り込み、該支持基盤結合用突起６ｇは外側リング部４Ａの凹部４ｄに係合した状態になる。このときフィルタエレメント８を装置した乾燥容器６の底部６ｈは支持基盤４の内側リング部４Ｂに嵌着している。
【００３１】
そしてパージタンク７の開口下縁７ｄを支持基盤４の外側リング部４Ａの外周に嵌合する。このとき外側リング部４Ａに備えたシールリング７ｃはパージタンク７と支持基盤４を密封する機能を有する。該パージタンク７の開口下縁７ｄには切欠きを形成しこの切欠きに取付けボルト１１を螺合しパージタンク７と支持基盤４を固定する。
【００３２】
次に、乾燥容器６内に充填された乾燥剤５が経年変化等により使用不能となった場合作業者は前記取付けボルト１１をパージタンク７の開口下縁７ｄから取外し、前記パージタンク７を左方向又は右方向に回転させる。そして図２に示すように該パージタンク７の係止突起７ａが予め乾燥容器６に装着しているクリップ１２の一方又は他方の側面１２ｅに衝当する。これにより該パージタンク７を強制的に回転させるとこれに合わせて該乾燥容器６が回転する。すなわち、パージタンク７と乾燥容器６は共回りすることとなる。該乾燥容器６の回転に従い支持基盤結合用突起６ｇがブラケット４ｂの下面を回転し支持基盤４の切欠孔４ｃの位置に移動しパージタンク７と乾燥容器６を一緒に引上げることができる。この状態に於けるパージタンク７と乾燥容器６は図１の仮想線で示している。従って上方に引上げたときパージタンク７の頂部が一点鎖線で示すスペース限界高さＨを越えることなく乾燥容器６内の乾燥剤５を容易に取替えることが可能となる。
【図面の簡単な説明】
【００３３】
【図１】本発明に係る圧縮空気乾燥装置に於ける乾燥容器の取外し機構の実施の形態の一例を示す垂直断面図である。
【図２】本発明に係る圧縮空気乾燥装置に於ける乾燥容器の取外し機構の要部拡大部分断面図である。
【図３】本発明に係る圧縮空気乾燥装置に於ける乾燥容器の取外し機構を構成するクリップを示す図面であって、（ａ）は正面図、（ｂ）は右側面図である。
【図４】従来の技術に於ける圧縮空気乾燥装置に於ける乾燥容器の取外し機構を示す垂直断面図である。
【符号の説明】
【００３４】
１A      圧縮空気乾燥装置
２        出口
３        ドレンバルブ装置
３ａ      ドレン弁
４        支持基盤
４Ａ      外側リング部
４Ｂ      内側リング部
４ａ      部屋
４ｂ      ブラケット
４ｃ      切欠孔
４ｄ      凹部
４ｅ      縦孔
４ｆ      突起部
５        乾燥剤
６        乾燥容器
６ａ      逆止弁
６ｂ      通路
６ｃ      突出部
６ｄ      パージタンク係止凹陥
６ｅ      蓋部材
６ｆ      取付けボルト
６ｇ      支持基盤結合用突起
６ｈ      底部
６ｉ      下方突出部
６ｊ      リング状内部空間
６ｋ      第２の部屋
６ｍ      コイルバネ
６ｎ      上縁
６ｐ      下縁
６ｑ      溝
６ｒ      クリップ挿入用孔
７        パージタンク
７ａ      係止突起
７ｂ      第１の部屋
７ｃ      シールリング
７ｄ      開口下縁
８        フィルタエレメント
９        逆止弁
９ａ      バルブ収容孔９ａ
１１      取付けボルト
１２      クリップ
１２ａ    円弧状頂点部
１２ｂ    脚部
１２ｃ    下端
１２ｄ    略山形状突起
１２ｅ    側面
【図１】
2010029789.tif 000003
【図２】
2010029789.tif 000004
【図３】
2010029789.tif 000005
【図４】
2010029789.tif 000006